(57)【要約】【課題】聴力と視力とが共に弱い者及び車内案内の公用言語に不慣れな者が、公共の交通機関を利用するとき乗り過ごさないように、電波を使用せず、目的地に到着したか否かを認識出来るように報知する。【解決手段】本発明の携帯報知装置は、交通機関の車内案内装置に表示された次に停まる目的地名称を撮影し画像データへ変換する撮影処理部と、画像データに基づき文字情報を抽出する文字情報抽出部と、登録名称を保持する報知条件設定部と、文字情報と登録された登録名称とが一致することを判定する報知判定部と、報知判定部の判定結果に基づき報知する報知部とを具備する。【選択図】図２
2009166673.tif 000002
【特許請求の範囲】
【請求項１】
交通機関の車内案内装置に表示された次に停まる目的地名称を撮影し画像データへ変換する撮影処理部と、
前記画像データに基づき文字情報を抽出する文字情報抽出部と、
登録名称を保持する報知条件設定部と、
前記文字情報と前記登録名称とが一致することを判定する報知判定部と、
前記報知判定部の判定結果に基づき報知する報知部と
を具備する
携帯報知装置。
【請求項２】
請求項１に記載の携帯報知装置であって、
前記撮影処理部は、
前記画像データの内から文字情報として抽出処理を行う範囲を指定する抽出範囲指定部と、
前記画像データと前記抽出処理を行う範囲とを表示する表示部と
を備え、前記文字情報抽出部は前記画像データと前記抽出処理を行う範囲とに基づき文字情報を抽出する
携帯報知装置。
【請求項３】
請求項１又は２に記載の携帯報知装置であって、
前記報知部は、
メッセージを表示する表示部、音声を発生する音声発生部、振動を発生する振動発生部及び光を発生する発光部の内から選択される少なくとも一つ
を備える
携帯報知装置。
【請求項４】
（ａ）交通機関の車内案内装置に表示された次に停まる目的地名称を撮影し画像データへ変換するステップと、
（ｂ）前記画像データに基づき文字情報を抽出するステップと、
（ｃ）登録名称を保持するステップと、
（ｄ）前記文字情報と前記登録名称とが一致することを判定するステップと、
（ｅ）前記ステップ（ｄ）の判定結果に基づき報知するステップと
を具備する
報知方法。
【請求項５】
請求項４に記載の報知方法であって、
前記ステップ（ａ）は、
（ａ１）前記画像データの内から文字情報として抽出処理を行う範囲を指定するステップと、
（ａ２）前記画像データと前記抽出処理を行う範囲とを表示するステップと
を備え、前記ステップ（ｂ）は前記画像データと前記抽出処理を行う範囲とに基づき文字情報を抽出する
報知方法。
【請求項６】
請求項４又は５に記載の報知方法であって、
前記ステップ（ｅ）は、
（ｅ１）メッセージを表示するステップ、音声を発生するステップ、振動を発生するステップ及び光を発生するステップの内から選択される少なくとも一つ
を備える
報知方法。
【請求項７】
請求項４乃至６の何れか一項に記載の方法をコンピュータに実行させる
報知プログラム。
【発明の詳細な説明】
【技術分野】
【０００１】
本発明は、携帯報知装置、報知方法、報知プログラムに関する。
【背景技術】
【０００２】
公共の交通機関における車内案内には、音声による案内及び文字による案内等が用いられている。近年、車内に設置された案内装置によって次に停まる目的地の名称を表示する方法が増加し乗客への利便性は高まっている。しかし、それらの案内を十分に認識出来ない場合は乗り過ごしてしまうこともある。そこで、乗り過ごし防止対策の技術として特許文献１及び２が提案されている。
【０００３】
特許文献１は、複数の基地局装置間をハンドオーバして通話する簡易型携帯電話システムにおける簡易型携帯電話端末装置において、基地局装置からの電波を受信して基地局装置の識別情報を得る受信手段と、複数の基地局装置の中からユーザが登録したい特定の基地局装置の識別情報を記憶するメモリと、識別情報をメモリに記憶させるための位置登録ボタンと、受信手段が得た識別情報がメモリに記憶された特定の基地局装置の識別情報と一致した場合に所定の通知手段を駆動させてユーザに知らせる制御手段とを備える簡易型携帯電話端末装置である。この簡易型携帯電話端末装置によって、ユーザは目的地付近に近づいたことを的確に認識することが出来るというものである。
【０００４】
特許文献２は、移動体通信端末がどこの移動体通信公衆基地局の近くにあるのかを把握する為に、移動体通信回線制御局が位置情報のやりとりをする位置登録のシステムと、移動体通信（例えば携帯電話やＰＨＳなど）とを利用し、予め登録された目的地に到着した事を利用者に知らせるというものである。この移動体通信を利用して目的地に到着した事を知らせる装置は、目的地を登録すると基地局の変更や故障がない限り、大きな誤差もなく、正確にいつも同じ場所に来た時に到着を知らせることが可能になるというものである。
【０００５】
【特許文献１】特開平９−２２４２８２号公報
【特許文献２】特開平９−２７１０７５号公報
【発明の開示】
【発明が解決しようとする課題】
【０００６】
特許文献１及び２には次のような問題がある。それは、電波を用いて目的地付近に到着することを知らせるため、交通機関を利用する電波の影響を受けやすい心臓ペースメーカーなどの医療機器を使用している乗客に人命に関わる多大な影響を及ぼす可能性を含んでいることである。特に交通機関各社では、乗車中の携帯電話使用の禁止あるいは自粛を呼びかけており目的地へ到着したことを知らせるために電波を利用することは適当ではない。
【０００７】
また、寝過ごすなどの乗り過ごし以外に、公共の交通機関における車内案内を十分に認識出来ない乗客もいる。例えば、聴力の弱い者や車内放送の公用言語に不慣れな者（外国人など）は、音声案内を聞き逃してしまう可能性が高い。更に、聴力と視力とが共に弱い者や、車内案内の公用言語に不慣れな者（外国人など）は、音声案内の聞き逃しだけでなく文字案内も誤認識する可能性も高い。その結果、聴力と視力とが共に弱い者や、車内案内の公用言語に不慣れな者は、公共の交通機関において目的地と異なる場所に降りてしまう虞がある。
【０００８】
本発明は、聴力と視力とが共に弱い者及び車内案内の公用言語に不慣れな者が、公共の交通機関を利用するとき乗り過ごさないように、電波を使用せず、目的地に到着したか否かを認識出来るように報知することを目的とする。
【課題を解決するための手段】
【０００９】
本発明の携帯報知装置は、交通機関の車内案内装置に表示された次に停まる目的地名称を撮影し画像データへ変換する撮影処理部と、画像データに基づき文字情報を抽出する文字情報抽出部と、登録名称を保持する報知条件設定部と、文字情報と登録された登録名称とが一致することを判定する報知判定部と、報知判定部の判定結果に基づき報知する報知部とを具備する。この携帯報知装置は、車内の案内装置（例えば電光掲示板や液晶モニターなど）に表示された次に停まる目的地名称と予め登録された登録名称とが一致するか否かを判定し、判定結果に基づき報知する。
【発明の効果】
【００１０】
本発明の携帯報知装置は、聴力と視力とが共に弱い者及び車内案内の公用言語に不慣れな者が目的地に到着したか否かを認識出来るように報知するため、聴力と視力とが共に弱い者及び車内案内の公用言語に不慣れな者が公共の交通機関を利用するときの乗り過ごしを防止することが可能である。更に、本発命の携帯報知装置は、電波を使用しないため電波に敏感な医療装置等へ影響を及ぼさない安全性を有している。
【発明を実施するための最良の形態】
【００１１】
以下、添付図面を参照して本発明の実施の形態による携帯報知装置１００、報知方法及び報知プログラムを説明する。
【００１２】
本発明の実施の形態による携帯報知装置１００は、コンピュータを用いて実現可能である。図１は、携帯報知装置１００の実施の形態におけるハードウエア構成例を示すブロック図である。図１を参照すると、携帯報知装置１００は、ＣＰＵ１（Ｃｅｎｔｒａｌ  Ｐｒｏｃｅｓｓｉｎｇ  Ｕｎｉｔ；中央演算処理装置）と、記憶装置２と、入力装置３と、出力装置４と、各装置を接続するバス５とを備えるコンピュータシステムで動作する。
【００１３】
ＣＰＵ１は、記憶装置２に格納されている本発明の携帯報知装置１００に係る演算処理及び制御処理を行う。記憶装置２は、ハードディスクやメモリ等からなり、本発明に係る各機能や手段を実現するＣＤ−ＲＯＭやＤＶＤ等のコンピュータ読み取り可能な記憶媒体から読み取られたプログラムや、入力装置３から入力された信号やプログラム等をＣＰＵ１が実行可能な形式で格納する。入力装置３は、ボタン、カメラ及びマイクロフォンなどからなり、コマンド及び信号等が入力される。出力装置４は、ディスプレイ、スピーカー、バイブレータ及びＬＥＤなどからなり、ユーザに報知することが出来る。
【００１４】
本発明の第１の実施の形態を説明する。本発明の携帯報知装置１００は、車内の案内装置（例えば電光掲示板や液晶モニターなど）に表示された次に停まる目的地名称と、予め登録された登録名称とが一致するか否かを判定し、判定結果に基づき報知する。図２は、本発明の携帯報知装置１００の構成例を示したブロック図である。図２を参照すると、携帯報知装置１００は、撮影処理部１１０と、制御部１２０と、報知部１３０とを具備する。
【００１５】
撮影処理部１１０は、車内の案内装置に表示された次に停まる目的地名称を撮影し、画像データへ変換する。制御部１２０は、撮影処理部１１０から提供された画像データに基づき表示された次に停まる目的地名称に相当する文字情報を抽出する。そして、抽出した文字情報と予め登録された登録名称とが一致するか否かを判定する。報知部１３０は、制御部１２０の判定結果と、予め登録された報知部１３０の制御情報とに基づいてユーザに報知する。
【００１６】
図３は、撮影処理部１１０の構成例を示したブロック図である。図３を参照すると、撮影処理部１１０は、撮影部１１１と、画像処理部１１２と、表示部１１３と、画像データ提供部１１４とを備える。
【００１７】
撮影部１１１は、レンズ、レンズ制御部、受光部（ＣＣＤなど）等を含む（図は省略）。車内の案内装置に表示された次に停まる目的地名称を撮影して電気信号として取り込む。このとき、レンズ及びレンズ制御部にズーム機能を含ませることも可能である。画像処理部１１２は、撮影部１１１から提供される電気信号を画像データへ変換し、画像データを表示部１１３及び画像データ提供部１１４へ提供する。撮影した対象物には複数の文字が含まれることが考えられる。そこで、画像処理部１１２は、撮影した対象物の画像データの中から文字情報として抽出処理を行う範囲を指定する抽出範囲指定部１１５を含む。抽出範囲指定部１１５は、抽出処理を行う範囲を画像データの内から予め設定しておくことや、画像データの内から任意に範囲を指定することなどが可能である。表示部１１３は、提供された画像データをユーザが確認出来るように表示する。更に、表示部１１３は抽出範囲指定部１１５に基づく抽出処理を行う範囲を表示する。例えば、画像データの内から予め設定された範囲を抽出処理する場合、ユーザは表示部１１３に表示された抽出処理を行う範囲を参照して文字情報として抽出させたいものを確実に取り込むことが出来る。また、画像データの内から任意に範囲を指定する場合は、表示部１１３を参照しながら範囲の指定を行う。これらは、後の画像データに基づく文字情報の抽出処理の精度を向上させる効果がある。画像データ提供部１１４は、画像データと抽出処理を行う範囲とを制御部１２０へ提供する。
【００１８】
図４は、制御部１２０の構成例を示したブロック図である。図４を参照すると、制御部１２０は、報知条件設定部１２１と、画像データ取得部１２２と、文字情報抽出部１２３と、報知判定部１２４と、報知制御部１２５とを備える。
【００１９】
報知条件設定部１２１は、ユーザによって登録された登録名称を保持する。登録名称は、目的地名称、目的地の一つ前の名称及び目的地の一つ後の名称などが含まれる。また、報知条件設定部１２１は、報知部１３０の制御情報を保持する。報知部１３０の制御情報は、抽出された文字情報と登録名称とが一致する場合及び一致しない場合の判定結果に基づく報知部１３０の制御に関する情報を示す。報知部１３０の制御情報は、一致する場合と一致しない場合とを各々個別に登録することが出来る。
【００２０】
画像データ取得部１２２は、撮影処理部１１０から提供される画像データと抽出処理を行う範囲を取得する。また、画像データ取得部１２２は、文字情報として抽出処理を行う範囲の画像データのみを取得してもよい。文字情報として抽出処理を行う範囲のみを取得する場合は、データ量が少なくなるため処理速度を向上させる効果がある。文字情報抽出部１２３は、取得した画像データと、文字情報として抽出処理を行う範囲とに基づき文字情報を抽出する。文字情報の抽出方法は、既存の方法（ＯＣＲ機能など）を用いることが出来る。また、文字情報抽出部１２３は、抽出範囲指定部１１５が抽出範囲を指定することにより、画像データの中から文字情報を抽出する範囲が限定出来るためより精度良く画像データから文字情報を抽出することが可能である。報知判定部１２４は、文字情報抽出部１２３で抽出した文字情報と、報知条件設定部１２１に予め登録された登録名称とが一致するか否かを判定する。報知制御部１２５は、報知判定部１２４の判定結果と、報知条件設定部１２１に予め登録された報知部１３０の制御情報とに基づき報知部１３０を制御する。
【００２１】
図５は、報知部１３０の構成例を示したブロック図である。図５を参照すると、報知部１３０は、メッセージ表示部１３１と、音声発生部１３２と、振動発生部１３３と、発光部１３４とを備える。
【００２２】
メッセージ表示部１３１は、報知制御部１２５の制御に基づいてメッセージを表示する。メッセージ表示部１３１は、表示部１１３と同一の機能部に含まれていてもよい。音声発生部１３２は、報知制御部１２５の制御に基づいて音声を発生する。これはスピーカー装置などが例示される。振動発生部１３３は、報知制御部１２５の制御に基づいて振動を発生する。これは小型モーターなどが例示される。発光部１３４は、報知制御部１２５の制御に基づいて光を発生する。これはＬＥＤなどが例示される。報知部１３０に備わるこれら複数の機能部は、各々任意の報知パターンを使用することや、一つを任意に選択して使用することや、任意に組み合わせて使用することなどが可能である。報知部１３０に備わる複数の機能部の制御は、ユーザによって報知条件設定部１２１に予め登録される。
【００２３】
以上の構成例からなる本発明の携帯報知装置１００は、車内の案内装置に表示された次に停まる目的地名称と予め登録された登録名称とが一致するか否かを判定し、判定結果に基づき報知することで、目的地に到着したか否かをユーザに認識させることが可能である。
【００２４】
図６は、本発明の携帯報知装置１００の第１の実施の形態による処理動作を示したフローチャートである。図６を参照して、本発明の第１の実施の形態による処理動作を説明する。報知条件設定部１２１は、報知条件であるユーザによって登録された登録名称及び報知部１３０の制御情報を格納する（ステップＳ０１）。登録名称は、目的地名称又は目的地よりも一つ前の目的地名称のどちらでもよい。また、報知部１３０の制御情報は、報知部１３０に備わる複数の機能部を、各々任意の報知パターンで使用することや、任意に選択して使用することや、任意に組み合わせて使用することもなどが含まれる。
【００２５】
撮影部１１１は、車内の案内装置（例えば電光掲示板や液晶モニターなど）に表示された次に停まる目的地名称を撮影し電気信号として取り込む。そして画像処理部１１２は、撮影部１１１から提供される電気信号を画像データへ変換する（ステップＳ０２）。このとき、画像データには複数の文字が含まれることが考えられるため、抽出範囲指定部１１５は、抽出処理を行う範囲を画像データの内から予め設定しておくことや、画像データの内から任意に範囲を指定することなどを可能とする。即ち、ユーザは表示部１１３を参照しながら、画像データの内から予め設定された抽出処理を行う範囲を参照して文字情報として抽出させたいものを指定すること、画像データの内から任意に抽出処理を行う範囲を指定することなどを行い確実に目的地名称を取り込むことが出来る。更に、撮影部１１１がズーム機能を含むと文字情報として抽出させたいものを表示部１１３に収め易くなる。
【００２６】
文字情報抽出部１２３は、画像処理部１１２で生成した画像データと抽出処理を行う範囲とに基づき文字情報を抽出する（ステップＳ０３）。文字情報の抽出方法は、既存の方法（ＯＣＲ機能など）を用いることが出来る。また、文字情報抽出部１２３は、抽出範囲指定部１１５が抽出範囲を指定することにより、画像データの中から文字情報を抽出する範囲が限定出来るためより精度良く画像データから文字情報を抽出することが可能である。
【００２７】
報知判定部１２４は、文字情報抽出部１２３で抽出した文字情報と、報知条件設定部１２１に予め登録された登録名称とが一致するか否かを判定する（ステップＳ０４）。
【００２８】
報知制御部１２５は、抽出した文字情報と登録された登録名称とが一致する場合、報知条件設定部１２１に予め登録された一致した場合の報知部１３０の制御情報に基づき報知部１３０を制御する（ステップＳ０５）。
【００２９】
報知部１３０は、一致した場合の制御情報に基づいて報知する（ステップＳ０６）。報知は、メッセージ表示部１３１がメッセージを表示すること、音声発生部１３２音声を発生すること、振動発生部１３３が振動を発生すること、発光部１３４が光を発生することが含まれる。これら報知部１３０に備わる複数の機能部は、任意の選択及び任意の組み合わせで使用される。また、任意の報知パターンで使用されることも可能である。
【００３０】
また、報知部１３０は、文字情報抽出部１２３で抽出した文字情報と、報知条件設定部１２１に予め登録された登録名称とが一致しないと判定された場合、一致しない場合の制御情報に基づいて報知する（ステップＳ０７）。
【００３１】
本発明の携帯報知装置は、車内の案内装置（例えば電光掲示板や液晶モニターなど）に表示された次に停まる目的地名称と予め登録された登録名称とが一致するか否かを判定し、判定結果に基づき報知するため、目的地に到着したか否かを聴力と視力とが共に弱い者及び車内案内の公用言語に不慣れな者に認識させることが可能となる。即ち、聴力と視力とが共に弱い者及び車内案内の公用言語に不慣れな者が公共の交通機関を利用するときの乗り過ごしを防止することが可能となる。更に、本発命の携帯報知装置は、電波を使用しないため電波に敏感な医療装置等へ影響を及ぼさない安全性を有している。
【００３２】
次に、本発明の携帯報知装置１００の第２の実施の形態について説明をする。第２の実施の形態による構成は、第１の実施の形態と同様である。
【００３３】
図７は、本発明の携帯報知装置１００の第２の実施の形態による処理動作を示したフローチャートである。図７を参照して、本発明の第２の実施の形態による処理動作を説明する。報知条件設定部１２１は、ユーザによって第１登録名称及び第２登録名称を登録される。第１及び第２登録名称に各々対応する報知部１３０の制御情報も登録される（ステップＳ１１）。第１登録名称は目的地よりも一つ前の名称とし、第２登録名称は目的地名称とする。また、報知部１３０の制御情報は、報知部１３０に備わる複数の機能部を、各々任意の報知パターンで使用することや、任意に選択して使用することや、任意に組み合わせて使用することもなどが含まれる。
【００３４】
撮影部１１１は、車内の案内装置（例えば電光掲示板や液晶モニターなど）に表示された次に停まる目的地名称を撮影し電気信号として取り込む。そして画像処理部１１２は、撮影部１１１から提供される電気信号を画像データへ変換する（ステップＳ１２）。このとき、画像データには複数の文字が含まれることが考えられるため、抽出範囲指定部１１５は、抽出処理を行う範囲を画像データの内から予め設定しておくことや、画像データの内から任意に範囲を指定することなどを可能とする。即ち、ユーザは表示部１１３を参照しながら、画像データの内から予め設定された抽出処理を行う範囲を参照して文字情報として抽出させたいものを指定すること、画像データの内から任意に抽出処理を行う範囲を指定することなどを行い確実に目的地名称を取り込むことが出来る。更に、撮影部１１１がズーム機能を含むと文字情報として抽出させたいものを表示部１１３に収め易くなる。
【００３５】
文字情報抽出部１２３は、画像処理部１１２で生成した画像データと抽出処理を行う範囲とに基づき文字情報を抽出する（ステップＳ１３）。文字情報の抽出方法は、既存の方法（ＯＣＲ機能など）を用いることが出来る。また、文字情報抽出部１２３は、抽出範囲指定部１１５が抽出範囲を指定することにより、画像データの中から文字情報を抽出する範囲が限定出来るためより精度良く画像データから文字情報を抽出することが可能である。
【００３６】
報知判定部１２４は、文字情報抽出部１２３で抽出した文字情報と、報知条件設定部１２１に予め登録された第１登録名称とが一致するか否かを判定する（ステップＳ１４）。
【００３７】
報知制御部１２５は、抽出した文字情報と第１登録名称とが一致する場合、報知条件設定部１２１に予め登録された第１登録名称に係る一致した場合の報知部１３０の制御情報に基づき報知部１３０を制御する（ステップＳ１５）。
【００３８】
報知部１３０は、一致した場合の制御情報に基づいて報知する（ステップＳ１６）。報知は、メッセージ表示部１３１がメッセージを表示すること、音声発生部１３２音声を発生すること、振動発生部１３３が振動を発生すること、発光部１３４が光を発生することが含まれる。これら報知部１３０に備わる複数の機能部は、任意の選択及び任意の組み合わせで使用される。また、任意の報知パターンで使用されることも可能である。
【００３９】
また、報知部１３０は、文字情報と第１登録名称とが一致しないと判定された場合、一致しない場合の制御情報に基づいて報知する（ステップＳ１７）。
【００４０】
撮影部１１１は、第１登録名称の判定と同様に、車内の案内装置（例えば電光掲示板や液晶モニターなど）に表示された次に停まる目的地名称を撮影し電気信号として取り込む。そして画像処理部１１２は、撮影部１１１から提供される電気信号を画像データへ変換する（ステップＳ１８）。
【００４１】
文字情報抽出部１２３は、画像処理部１１２で生成した画像データに基づき文字情報を抽出する（ステップＳ１９）。
【００４２】
報知判定部１２４は、文字情報抽出部１２３で抽出した文字情報と、報知条件設定部１２１に予め登録された第２登録名称とが一致するか否かを判定する（ステップＳ２０）。
【００４３】
報知制御部１２５は、抽出した文字情報と登録された第２登録名称とが一致する場合、報知条件設定部１２１に予め登録された第２登録名称に係る一致した場合の報知部１３０の制御情報に基づき報知部１３０を制御する（ステップＳ２１）。
【００４４】
報知部１３０は、報知制御部１２５の制御に基づいて報知する（ステップＳ２２）。また、報知部１３０は、文字情報と第２登録名称とが一致しないと判定された場合、一致しない場合の制御情報に基づいて報知する（ステップＳ２３）。
【００４５】
本発明の第２の実施の形態は、目的地名称と目的地の一つ前の名称との複数の登録名称を用いている。第２の実施の形態によって、目的地の一つ前から到着を事前に認識することができ、更に降りる場所を再確認することが出来る。即ち、目的地への到着がより確実に認識可能となる効果がある。また、登録名称を更に増やし目的地の一つ後の名称を追加登録すると、乗り過ごしたことも認識することが可能になる。
【図面の簡単な説明】
【００４６】
【図１】図１は、本発明の携帯報知装置１００の実施の形態におけるハードウエア構成例を示すブロック図である。
【図２】図２は、本発明の携帯報知装置１００の構成例を示したブロック図である。
【図３】図３は、撮影処理部１１０の構成例を示したブロック図である。
【図４】図４は、制御部１２０の構成例を示したブロック図である。
【図５】図５は、報知部１３０の構成例を示したブロック図である。
【図６】図６は、本発明の携帯報知装置１００の第１の実施の形態による処理動作を示したフローチャートである。
【図７】図７は、本発明の携帯報知装置１００の第２の実施の形態による処理動作を示したフローチャートである。
【符号の説明】
【００４７】
１      ＣＰＵ（Ｃｅｎｔｒａｌ  Ｐｒｏｃｅｓｓｉｎｇ  Ｕｎｉｔ；中央演算処理装置）
２      記憶装置
３      入力装置
４      出力装置
５      バス
１００  携帯報知装置
１１０  撮影処理部
１１１  撮影部
１１２  画像処理部
１１３  表示部
１１４  画像データ提供部
１１５  抽出範囲指定部
１２０  制御部
１２１  報知条件設定部
１２２  画像データ取得部
１２３  文字情報抽出部
１２４  報知判定部
１２５  報知制御部
１３０  報知部
１３１  メッセージ表示部
１３２  音声発生部
１３３  振動発生部
１３４  発光部
【図１】
2009166673.tif 000003
【図２】
2009166673.tif 000004
【図３】
2009166673.tif 000005
【図４】
2009166673.tif 000006
【図５】
2009166673.tif 000007
【図６】
2009166673.tif 000008
【図７】
2009166673.tif 000009